(57)【要約】【課題】門扉錠の外部操作部材の操作軸の露出部を確実に被覆する防護機構を提供する。【解決手段】外部操作部材２３、２４のエスカチオン２２の内面における支承部を包囲可能な開口を有する接続筒２８ａと、この接続筒２８ａの内端に連設され、外部操作部材の操作軸１７を覆う被覆筒２８ｂと、接続筒２８ａの外端開口に一体に形成されたフランジ部２８ｃとを備えた保護筒２８を設け、一方、門扉１又は門柱の表面に保護筒の接続筒と嵌合する挿通孔を開口させ、この挿通孔に保護筒２８を外側から挿し通した後、操作軸１７を保護筒２８内に挿通し、エスカチオン２２の内面と門扉１又は門柱の表面との間に保護筒２８のフランジ部２８ｃを挟み付けるようにしてエスカチオン２２を装着する。【選択図】  図４
2004270230.tif 000002
【特許請求の範囲】
【請求項１】
門扉又は門柱の一方に装着されるラッチ部と、このラッチ部の操作機構を担持し、門扉又は門柱の表面に装着されるエスカチオンと、このエスカチオンに回動自在に支承され、操作機構に連係された外部操作部材とを有するものにおいて、外部操作部材のエスカチオン内面における支承部を包囲可能な開口を有する接続筒と、この接続筒の内端に連設され、外部操作部材の操作軸を覆う被覆筒と、接続筒の外端開口に一体に形成されたフランジ部とを備えた保護筒を設け、一方、門扉又は門柱の表面に保護筒の接続筒と嵌合する挿通孔を開口させ、この挿通孔に保護筒を外側から挿し通した後、操作軸を保護筒内に挿通し、エスカチオンの内面と門扉又は門柱の表面との間に保護筒のフランジ部を挟み付けるようにしてエスカチオンを装着するようにしたことを特徴とする門扉錠の操作軸防護機構。
【発明の詳細な説明】
【０００１】
【発明の属する技術分野】
この発明は、伸縮させて開け閉めを行うアコーデオン扉等の門扉に装着される門扉錠の操作軸防護機構（以下単に防護機構という）に係り、特に、構造が簡単で確実に機能する防護機構に関する。
【０００２】
【従来の技術】
【特許文献１】特願２００２−１９６９０８明細書
本出願人は、先に、登録新案第２，１２６，８２２号を以て、新規な門扉の掛金装置及びそのロック装置を提案した。
【０００３】
この掛金装置は、図１及び図２に示すように、門扉１及び門柱２の何れか一方（図示の実施例では門扉１）に取り付けられるラッチ部３と、他方に取り付けられ、水平なバー４（図２参照）を備えたストライク５とからなる。
【０００４】
そして、上記ラッチ部３は、図２に示すように、第１及び第２の一対のフック６、７を備え、これらはストライクのバー４に係合する鉤状部を夫々有する。
【０００５】
また、これら第１及び第２フック６、７の先端の鉤状部は、先端を相互に対向させて外縁がＶ字形を形成するようにすると共に、第１フック６の中段部に鉤状部とほぼ平行にかつ一体に突設された細長い第１連結部８に開口した長孔９と、第２フック７の中段部において第１連結部８と対称的に突設された第２連結部１１の先端に植設されたピン１２とを相互に係合させてある。
【０００６】
更にまた、第１及び第２フック６、７は各基端を支軸１３によって回動自在に支承されると共に、基端部に巻装されたねじりコイルばねとしてのフックばね１４の弾力により、鉤状部の先端が相互に近接して閉じる方向に付勢されている。
【０００７】
上記のように構成された従来の掛金装置は、門扉が閉じるとき、バー４とフック６、７との係合によって生じる楔作用により、図２において鎖線で示すように、フック６、７の先端部が拡開してバー４がフックの鉤状部を通過し、その後フックばね１４の弾力によってフックが閉じるので、バー４が自動的にフックに掴持されて門扉１が門柱に係止される。
【０００８】
また、上記の掛金装置には、図２に示すように、ロックレバー１５が配設されており、このロックレバー１５は、中央部を回動自在に支承され、一端（図２では長い方のアームの先端）が実線で示す角度位置をとるとき、例えば第１フック６の基端部に選択的に衝接して第１フック６及びこれに連結された第２フック７をロックできる構造である。
【０００９】
このロックレバー１５の中央部には図に示すように異形穴１６（図２では方形穴）が開口しており、図３に示すように、ラッチ部３を厚さ方向（水平方向）に貫通してこの異形穴１６に挿通される異形断面の操作軸１７の外端にはシリンダ錠１８が、内端にはクラッチ１９を介してサムターン２１が夫々装着される。
【００１０】
【発明が解決しようとする課題】
上記した構造の従来の門扉の掛金装置は、ラッチ部３（図３参照）を装着する門扉或いは門柱に隙間が多いので、操作軸１７が外から見えることがある。
【００１１】
図１からも明らかなように、本来、門扉１の外側から内側に手を差し入れて内側のサムターンを操作することは極めて容易であるので、上記したように操作軸１７を外部から操作することによる防犯性の低下はこの際問題にならないが、例えば操作軸１７とラッチ部３との隙間に異物を挿入する、等の悪戯は可能であり、その為に掛金装置の作動不良を招来することについては充分対策を講じなければならない。
【００１２】
この事情は、図示のサムターン等の外部操作部材に限らず、後述するように、リトラクターを作動させてラッチボルトを出し入れする、ハンドルやノブ等の他の外部操作部材の操作軸についても同様である。
【００１３】
この発明は、外部操作部材の操作軸の露出部を確実に被覆して、上記した不都合を解消する防護機構を提供することを目的としている。
【００１４】
【課題を解決するための手段】
上記の目的を達成するため、請求項１に記載の発明は、門扉又は門柱の一方に装着されるラッチ部と、このラッチ部の操作機構を担持し、門扉又は門柱の表面に装着されるエスカチオンと、このエスカチオンに回動自在に支承され、操作機構に連係された外部操作部材とを有するものにおいて、外部操作部材のエスカチオンの内面における支承部を包囲可能な開口を有する接続筒と、この接続筒の内端に連設され、外部操作部材の操作軸を覆う被覆筒と、接続筒の外端開口に一体に形成されたフランジ部とを備えた保護筒を設け、一方、門扉又は門柱の表面に保護筒の接続筒と嵌合する挿通孔を開口させ、この挿通孔に保護筒を外側から挿し通した後、操作軸を保護筒内に挿通し、エスカチオンの内面と門扉又は門柱の表面との間に保護筒のフランジ部を挟み付けるようにしてエスカチオンを装着するようにしたことを特徴とする。
【００１５】
【実施例】
以下、この発明の実施例を図４乃至図９を参照して説明する。
図４において符号１７は前記ロックレバーの操作軸（図３参照）を、符号２２は図示しないラッチ部を挟んで門扉又は門柱の一方（図示の実施例では門扉）の内外面に装着されるエスカチオンを夫々示す。
【００１６】
なお、図示の実施例では、操作機構はラッチ部に関し内外対称に設けられているので、図４では符号を外側のものにのみ付するものとする。また、図４で符号Ｋは外側を、符号Ｎは内側を夫々示す。
【００１７】
上記エスカチオン２２と操作軸１７の延長部とが交差する部位には、内側（ラッチ部側）の第１プラグ２３と外側の第２プラグ２４とが夫々独立して回動可能に、かつ相互に連接して装着されている。
【００１８】
上記第１プラグ２３は、図５及び図６に示すように、大体の形状が段付の円柱体で、その小径内端部に同軸に形成された角穴２５（図６参照）を操作軸の先端に嵌合させることにより（図４参照）、操作軸１７に一体的に連結されている。
【００１９】
また、第２プラグ２４は、図７及び図８に示すように、大体の形状が角柱と円柱とを連接した形状で、その円柱部をエスカチオン２２に回転可能に支承させている。
【００２０】
そして、この第２プラグ２４には、図７及び図８に示すように、その回転軸線に沿ってこれを貫通する異形断面の連結孔２６が形成されている。
【００２１】
図示の実施例では、この連結孔２６の断面形状はシリンダ錠の鍵孔のそれと同一に設定されている。この連結孔２６の断面形状として、例えば扉口に装着されているシリンダ錠の鍵孔のそれと同一にするとよい。
【００２２】
一方、第２プラグ２４に連接する第１プラグ２３の外端部には、図５及び図６に示すように、断面十字形の中心部をくり抜いて広げた形状の異形断面の連結孔２６が形成されている。
【００２３】
この第１プラグ２３の連結孔２６の断面形状は、第２プラグの連結孔２６に挿入された、この連結孔２６と同一断面のシリンダ錠の合鍵２７（図４参照）が内接できる形状であるが、第１プラグ２３の断面形状と同一にしてもよい。
【００２４】
これら第１及び第２プラグ２３、２４は、外端部は第２プラグ２４の外周段部とエスカチオン２２の段部との係合により抜け止めを施され、内端部は、足付リング状の抜け止めリング２９（図９参照）によって抜け止めが施されている。
【００２５】
なお、図示の実施例では、合鍵２７を介して第１及び第２プラグ２３、２４を相互に連結することにより、合鍵が無い場合にはラッチ部の操作ができないようにした別の発明にこの発明を適用したので、プラグ２４の抜け止めに足付の抜け止めリングを使用するものとした。
【００２６】
しかしながら、通常の設計では、或いは、例えばハンドル等の外部操作部材をエスカチオンに担持させる場合には、ハンドル等を内側に移動しないようにハンドルを段付にし、一方、外側に抜けないようにするため、エスカチオン内面に突出する部分を止め輪により抜け止めを施す（図示せず）。
【００２７】
一方、この発明による防護機構の主要部である保護筒２８を次に述べるように構成する。すなわち、エスカチオン内面に突出する第１プラグ２３歩を包囲できる開口を有する接続筒２８ａの内端に、外部操作部材の操作軸１７を覆う被覆筒２８ｂを滑らかに接続して連設する。
【００２８】
また、上記接続筒２８ａの外端開口にはフランジ部２８ｃを一体に形成する。
このフランジ部２８ｃを収容するため、図４に示すように、エスカチオン２２を門扉１等の表面に装着したとき門扉とエスカチオン内面との間に隙間が保たれるように、各部の寸法、形状を設定しておくべきことは勿論である。
【００２９】
上記のように構成された保護筒２８を門扉１等に装着するため、その表面に接続筒２８ａと嵌合する付番しない挿通孔を開口させ、この挿通孔に保護筒２８を外側から挿し通した後、操作軸１７を保護筒２８内に挿通させる。
【００３０】
しかる後、エスカチオン２２の内面と門扉又は門柱の表面との間に保護筒のフランジ部２８ｃを挟み付けるようにしてエスカチオンを装着する。
【００３１】
図示の実施例では、このとき、抜け止めリング２９（図９参照）の脚部をフランジ部２８ｃによってエスカチオン２２の内面に押し付けるようにして固定する。
【００３２】
このとき、抜け止めリングの脚部によりフランジ部２８ｃが持上げられ、保護筒２８がグラグラと動くような場合には、当該脚部を収容する凹陥部をエスカチオンの内面に形成すると良い（図示せず）。
【００３３】
図４に示す保護筒２８の装着時、外側及び内側の被覆筒２８ｂ、２８ｂの夫々の内端開口縁がラッチ部３の側板に接触するようにすれば、操作軸１７は保護筒２８によって完全に被覆され、外側から悪戯されることが皆無となる。
【００３４】
【発明の効果】
以上の説明から明らかなように、この発明は、接続筒を門扉等の表面に開口させた挿通孔に嵌合させたので、保護筒が半径方向に移動することはなく、同様の理由により保護筒と操作軸との距離が一定に保たれ、したがって作動は確実かつ安定している。
【００３５】
また、フランジ部をエスカチオンの内面及び門扉等の表面の間に挟み込んで固定するので、保護筒の芯振れ等は確実に阻止され、この意味からも防護機構の作動は確実かつ安定している。
【００３６】
また、保護筒は要するに一端にフランジ部を形成した筒体であるから、防護機構の構造は非常に簡単である、等種々の効果を奏する。
【図面の簡単な説明】
【図１】アコーデオン扉の概要を示す側面図。
【図２】従来の掛金装置の実施例を門扉の開放状態で示す縦断側面図。
【図３】従来の操作機構の一例を示す線図的一部断面正面図。
【図４】この発明による防護機構の一例を示す断面図。
【図５】第１プラグの正面図。
【図６】その縦断面図。
【図７】第２プラグの正面図。
【図８】その縦断面図。
【図９】抜け止めリングの外観斜視図。
【符号の説明】
１  門扉
２  門柱
３  ラッチ部
４  バー
５  ストライク部
６  第１フック
７  第２フック
８  第１連結部
９  長孔
１１  第２連結部
１２  ピン
１３  支軸
１４  フックばね
１５  ロックレバー
１６  異形穴
１７  操作軸
２２  エスカチオン
２３  第１プラグ
２４  第２プラグ
２５  角穴
２６  連結孔
２７  合鍵
２８保護筒
２８ａ  接続筒
２８ｂ  被覆筒
２８ｃ  フランジ部
２９  抜け止めリング
【図１】
2004270230.tif 000003
【図２】
2004270230.tif 000004
【図３】
2004270230.tif 000005
【図４】
2004270230.tif 000006
【図５】
2004270230.tif 000007
【図６】
2004270230.tif 000008
【図７】
2004270230.tif 000009
【図８】
2004270230.tif 000010
【図９】
2004270230.tif 000011